(57)【要約】      （修正有）【課題】野菜の自然栽培における労力や水耕栽培における葉物野菜にしか適さないことへの対応、並びに積雪地域や温暖地域で野菜を栽培するための手段として樹脂製の囲いの畝を作り、土壌を暖め土壌菌の活動を促がし、有機土壌を提供する。【解決手段】樹脂製の隔壁により畑の畝を作り太陽光発電の電気を使ってＬＥＤランプを照らすと同時に畝にヒートポンプ１８により暖められた空気と温水を送り土壌を暖めることで土壌菌の活動を促す。人工の溜め池で合成された有機肥料は攪拌機１７で攪拌され送水管２にて土壌の畝に送られる。水を有効利用できることで地球の砂漠地域でも野菜の栽培ができる。土壌の表面には黒のビニールシートで覆われ草取りの必要がない。一度設備されると維持費が掛らない野菜の土壌栽培プラント設備である。【選択図】図２
2014223048.tif 000002
【特許請求の範囲】
【請求項１】
野菜の土壌栽培を手助けする野菜の土壌栽培プラント設備であるが、既存の農業では畑を耕し球根野菜の栽培においては水捌けを良くするための畝を作って種又は苗を植えていた。また温室による水耕栽培は葉物野菜の栽培はできるが球根野菜の栽培には適さなかった。本発明の野菜の土壌栽培プラント設備ではプラスチック樹脂の隔壁で土壌の畝を作る構造で二段式の棚を設け下の棚の内部には三本の空気管を設け温風が流れる。また上の棚には土壌に空気を送るための通気孔があり上下の棚の間にはヒートポンプで暖められた温水もしくは温泉水が流れ空気管から放出された空気は温水を通過することで暖められ土壌に送り込まれるが温暖地域では逆に地下水又は冷媒水を使用することもある。
隔壁の上部からは送水管から有機水が放出され隔壁の水捌け用の穴から放出された水は雨水とともにＵ字溝に流れ込む。Ｕ字溝の水は人工の溜め池に流れ込み攪拌機に呼び戻され攪拌された水は再び土壌に撒かれる。
昼は太陽光を浴びることができるが天候の悪い日や夜間は太陽光発電によって蓄電した電気を利用してＬＥＤを発光させる。土壌の中には木材チップや枯葉などを混ぜ微生物の発酵を手助けし有機土壌の温度を安定させることで冬場でも野菜の栽培を容易にした。また土壌内の温度、湿度、酸素を測定しプログラム制御し最良の状態を維持する。土壌の表面には光を遮断するための黒色のビニールシートを覆い、草が生えない対策が施されている。畝の隔壁上部は蜂が通れる通気孔が開いた保護カバーが被せられこれが積雪地域では鎌倉の役目を果たし夏場や温暖地方では網戸の保護カバーが使用される。畝の中の温度管理するために畝と畝うをダクトで通し風を送る。以上のことを特徴とする野菜の土壌プラント設備であるがこれは他の農業分野にも応用できる。
【発明の詳細な説明】
【技術分野】
【０００１】  本発明は野菜の土壌栽培プラント設備に関するものである。
【背景技術】
【０００２】  日本の大昔の農業は焼畑が主流であったが、住居を構えるためには同じ所で作物を作るしかなかったために畑を耕し土壌作りを行った。家畜の糞を土に混ぜたり人糞を直接畑に撒いたりしていたが人糞は酸性が強いので肥溜めに一度寝かせてアルカリ性に変えて使用していた。昔の農業と比べると機械化が進み農薬が使われるようになったが、天候の影響を受けている。季節や天候の影響をなくすために温室での水耕栽培が行われるようになったが、葉物野菜の栽培はできるが球根野菜の栽培には適さないし費用対効果も良くない。また雪国での冬野菜の栽培や温暖地域での野菜の栽培が難しかった。地球の砂漠化が問題になっているが将来食料危機が起こる恐れがある。本発明の野菜の土壌栽培プラント設備は自然栽培に比べれば費用が掛るが温室での水耕栽培よりも安価で葉物野菜は勿論、球根野菜の栽培にも適しているし雪国や温暖な国でも活用できる。
【先行技術文献】
【特許文献】
【０００３】
【特許文献】特許：第４６８２３７７号（２０１１）、特開２０１１−５７６４２、特開２０１０−２３９９２７、特開２００８−２４５６３８、特開２００９−０２７９３８、特願２００８−２４５５８５広報
【発明の開示】
【発明が解決しようとする課題】
【０００４】  本発明は、野菜の自然栽培もしくは温室での水耕栽培の問題点を解消することを目的としたものであると同時に日本のＴＰＰ参加による課題の一つに日本の農業を強くする問題がある。即ち既存の農業は畑を耕し畝を作り野菜の種もしくは苗を植え根づいたら肥料を撒いていた。草が生えると草を手で取っていた。季節や天候の影響を受けた。温室での水耕栽培は季節や天候の影響は少なくなったが葉物野菜の栽培にしか適さないし費用耐効果を考えると経費が掛り過ぎる。また雪国や砂漠化する地域や温暖な場所で農業をするには農業をプラント設備として捉えることが望ましいし地球の砂漠化を阻止し、将来の食料危機に対処するには手間の掛からない農業を実現するしかない。
【課題を解決するための手段】
【０００５】  本発明は、上記従来技術の有する欠点を解消しつつ上記要請に応えることができる新規な技術を提供することを目的としたものである。
即ち、本発明によって得られる効果は従来では考えなかった農業に対する農作業を無くすため樹脂製の囲いの畝を作りまた水捌け用の穴を作り棚を二段にして下の棚からは空気を送り、棚と棚の空間に温泉水またはヒートポンプによる温水を直接流すことにより暖められた空気が上の棚の通気孔から畝の土壌に送られることで土壌を暖めることができる。温暖な地域では温水の代わりに地下水または冷媒水を流すこともある。土壌の中には土壌菌が生息できる環境を用意するために土の中に木材チップや枯葉を入れ牛糞を混ぜる。ミミズが生息できる環境をつくることによって有機土壌を作る。ミミズが生息できる最適な環境を用意するために土壌の温度や窒素それに酸素を自動測定しプログラム制御する。樹脂製の畝の枠の上部に設けられた管からは有機水が放出される。畝の隔壁の上部には蜂の通れる通気孔の付いた保護カバーが施されていることでこれが雪国では鎌倉になり夏場や温暖な地方では網戸のカバーが使われる。有機水が混ざった雨水は排出穴からＵ字溝に流れ込み人工の溜池に辿りつく。溜池の水は再び攪拌層に送り必要ならば窒素・リン酸・カリウム等を補充し攪拌することで水に馴染ませポンプで畝に送る。畝の上部には光を遮断するための黒色のビニールシートを敷き詰め草取りの作業を無くします。野菜の生育を早めるために天候の悪い日や夜間にはＬＥＤランプを使用します。これ等の動力電源を確保するための太陽光パネルを設置し蓄電設備を設けます。
【発明の効果】
【０００６】  本発明によれば、日本のＴＰＰ参加によって日本の農業が壊滅するのを防ぐための工夫を施した野菜の土壌栽培プラント設備であるが、既存の農業と違う点は農作業を自動化したことと野菜の有機栽培ができることである。温泉が活用できる所であれば蜂の通れる通気孔の開いた保護カバーを被せることで積雪地域でも野菜の栽培ができる。夏場や温暖地域では網戸の保護カバーを使用するが温暖な地域では温水の代わりに地下水または冷媒水をながすこともある。
土壌の中の温度と湿度、酸素を自動計測することでプログラム制御をおこなうことで野菜の土壌栽培プラント設備を完成した。温室での水耕栽培だと葉物野菜にしか適さずしかも費用対効果も悪いが本発明の野菜の土壌栽培プラント設備だと維持費も掛らず葉物野菜は勿論、球根野菜でも栽培でき手間も掛らない。昼間は太陽光を活用するが天候の悪い日や夜間は太陽光で発電して蓄電池に蓄えていた電気を使いＬＥＤを発光させる。
【発明を実施するための最良の形態】
【０００７】  次に、本発明の実施例を図面を参照しつつ説明する。
【実施例】
【０００８】  図１に示すように、本発明の野菜の土壌栽培プラント設備は、畝を作るためのプラスチック樹脂の隔壁の上部に送水管を内蔵し送水孔が施されている。隔壁は二段の棚と連結しその上部には補強材とＬＥＤパネル並びに蜂の通れる通気孔の開いた保護カバーもしくは網戸カバーが取り付けられている。一番下のパネルには空気管が施され圧縮空気が送られる。また二段目の棚には無数の通気孔が開いており下部の棚に内蔵された空気管から放出された空気は下部と上部の棚の間に流れる温水もしくは温泉水で温められ土壌の畝に送られるが温暖な地域では温水の代わりに冷水が流されることもある。畝の表面は黒のビニールシートで覆われている。畝と畝の間にはＵ字溝が施されている。【０００９】  図２に示すように、太陽光により発電した電気は蓄電池に蓄えられパワーコンディショナーによって交流に変換され動力操作盤に送られます。動力操作盤からはコンプレッサー１台と汲み上げポンプ１台及び送水ポンプ２台にそれぞれ電気が送られ攪拌モーターとヒートポンプにも送られています。攪拌機の中には水を呼び込むためのレベルスイッチが設けられています。天候の悪い時や夜間のためにＬＥＤパネルにも電気を送り発光させています。雨水や送水管から送られた不要になった水は隔壁の水捌け用穴を通り抜けＵ字溝に流れ込みます。またＵ字溝の水は人工の溜め池に流れ込み再び攪拌機で攪拌した有機水は送水管で隔壁棚の畝に送られます。
【図面の簡単な説明】
【００１０】
【図１】図１は、本発明の実施例を示す野菜の土壌栽培プラント設備の平面図ならびに立面図である。
【図２】図２は、本発明の実施例を示す野菜の土壌栽培プラント設備の系統図である。
【符号の説明】１‥‥ＬＥＤパネル
２‥‥送水管
３‥‥水捌け用穴
４‥‥ビニールシート
５‥‥通気孔
６‥‥空気管
７‥‥空気孔
８‥‥補強材
９‥‥隔壁パネル
１０‥‥土壌棚
１１‥送水孔
１２‥Ｕ字溝
１３‥太陽光パネル
１４‥パワーコンディショナー
１５‥動力操作盤
１６‥溜め池
１７‥攪拌機
１８‥ヒートポンプ
１９‥コンプレッサー
２０‥汲み上げポンプ
２１‥送水ポンプ１
２２‥送水ポンプ２
２３‥攪拌モーター
２４‥レベルスイッチ
２５‥導水管
２６‥保護カバー
【図１】
2014223048.tif 000003
【図２】
2014223048.tif 000004